(57)【要約】【課題】リストバンドの装着時に、余ったリストバンドを鋏などの切断用具を用いることなく切り離し可能とするリストバンドを提供することを課題とする。【解決手段】  リストバンド３０は、一端に形成されたセット穴３８に一対のボスを通して手首に巻き付け、他端に形成されたバンド穴４０に一対のボスを通すことで環状に巻き止められる。そして、オスクリップとメスクリップとで挟み込むことにより、オスクリップに形成されたピン穴とメスクリップに形成された先端が鋭角となった突起ピンとで、バンド穴形成部３３の側端部に切り込みを入れ、余ったリストバンド３０を引っ張ることで鋏などの切断用具を用いることなく、余分なリストバンドを切り離すことができる。【選択図】      図１ 
2005052428.tif 000002
【特許請求の範囲】
【請求項１】
帯状に形成され、一端に一定の間隔をもって複数形成されたバンド穴と、他端に形成されたセット穴とにリストバンド用クリップを差し込んで手首などに巻き付け固定するリストバンドにおいて、
前記リストバンド用クリップは、前記リストバンドを環状に巻き止めると同時に、該リストバンドの側端部に切込みを入れるカット手段が備わり、該リストバンドのバンド穴形成部の側端部のみに切込みが入るようにセット穴形成部の側端部がカット手段と干渉しない形状としたことを特徴とするリストバンド。
【発明の詳細な説明】
【技術分野】
【０００１】
本発明はリストバンドに係り、特に病院で患者の手首や足首などに環状に巻き付けて使用されるリストバンドに関する。
【背景技術】
【０００２】
近年、病院では患者の取り違えミスを防止するために、患者の名前や年齢、血液型といった患者固有の識別データを表示したリストバンドを患者の手首や足首に取り付けることが行われている。
【０００３】
このリストバンドは、プリンタによって連続的に発行することができるようにするために、一般に連続的に形成されており、この連続体をロール状に巻き取ってプリンタにセットするようにしている。
【０００４】
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止める。
【０００５】
なお、リストバンドには、患者や新生児に取り付けるという理由から、肌に対する密着性が比較的良好なビニールで作製されたもの、患者固有の識別データを印字でき、かつ、安価に作製できるポリエチレンの不織布などの布帛や合成紙で作製されたものが存在するが、いずれの材質とも手で切れるものではなく、切断時には鋏などの切断用具でリストバンドを切り離している。
【０００６】
【特許文献１】特開２００２−３６３８０８号公報
【発明の開示】
【発明が解決しようとする課題】
【０００７】
しかしながら、リストバンドの両端に形成された穴にクリップのボスを通して止めるだけの構成のため、大人から新生児、また、手首や足首などの巻き止め条件がさまざまであり、どのような条件にも対応可能なように余裕のある長さのリストバンドであり、クリップで巻き止めた後に生じた余分なリストバンドは邪魔であることから鋏などの切断用具で切除する必要があった。
【０００８】
鋏などの切断用具を用いることは、患者や新生児の肌を傷つける心配もあり、また、鋏などの切断用具を用意することが、切り離し作業を煩わしいものにしてしまうという問題点があった。
【０００９】
本発明は、このような問題に鑑みてなされたもので、手首や足首などに巻き止めた後に生じた余分なリストバンドを鋏などの切断用具を用いることなくリストバンド用クリップと協働して切断可能なリストバンドを提供することを目的とする。
【課題を解決するための手段】
【００１０】
請求項１に係る発明は、前記目的を達成するために、帯状に形成され、一端に一定の間隔をもって複数形成されたバンド穴と、他端に形成されたセット穴とにリストバンド用クリップを差し込んで手首などに巻き付け固定するリストバンドにおいて、前記リストバンド用クリップは、前記リストバンドを環状に巻き止めると同時に、該リストバンドの側端部に切込みを入れるカット手段が備わり、該リストバンドのバンド穴形成部の側端部のみに切込みが入るようにセット穴形成部の側端部がカット手段と干渉しない形状としたことを特徴とするリストバンを提供する。
【００１１】
本発明によれば、リストバンドを環状に巻き止めて、余ったバンド穴形成部の側端部に切込みを入れることで、鋏などの切断用具を使用せずに切り離しが可能となる。
【発明の効果】
【００１２】
本発明によれば、リストバンド用クリップで環状に巻き止められたリストバンドは、リストバンド用クリップに形成されたカット手段よって、バンド穴形成部の側端部に切り込みが入り、鋏などの切断用具を用いることなくリストバンドの余分なバンド穴形成部を手で引っ張ることで、切り離し除去することができ、患者や新生児の安全を確保できると共に、除去作業を簡便化することができるという効果を奏する。
【発明を実施するための最良の形態】
【００１３】
以下、添付図面に従って本発明に係るリストバンドの好ましい実施の形態について詳説する。
【００１４】
図１は本発明に係るリストバンドの一実施の形態を示す斜視図、図２はリストバンド用クリップの構成を示す斜視図、図３はリストバンド用クリップの取り付け方法を示す平面図である。
【００１５】
図１に示すように、本実施の形態のリストバンド３０は、たとえば病院などで患者の手首や足首に巻き付けて、患者の管理、識別に用いられるもので、図２に示すリストバンド用クリップで固定して使用する。
【００１６】
図２に示すように、リストバンド用クリップ１０は、たとえばオスクリップ１２とメスクリップ１４とで構成され、ヒンジ部１６で連結されて一体的に成形されている。そして、ヒンジ部１６で折り畳むことにより、オスクリップ１２の上面をメスクリップ１４で閉じるように構成されている。
【００１７】
オスクリップ１２の上面には、リストバンド３０に形成されたセット穴３８とバンド穴４０に通される一対のボス２０Ａ、２０Ｂが突出して形成されている。このボス２０Ａ、２０Ｂは、セット穴３８とバンド穴４０の形成間隔Ｐと同じ間隔で形成されており、その先端部に断面半円形状の爪部２０ａ、２０ｂが形成されている。
【００１８】
一方、メスクリップ１４には、凸部２２が形成されて一対のボス収容穴２４Ａ、２４Ｂが形成されており、オスクリップ１２にメスクリップ１４が嵌合されると、この一対のボス収容穴２４Ａ、２４Ｂにオスクリップ１２に形成された一対のボス２０Ａ、２０Ｂが収容される。
【００１９】
また、メスクリップ１４にはロック用のロックピン２６が形成されており、オスクリップ１２には、このロックピン２６が嵌合されるロック穴２８が形成されている。リストバンド用クリップ１０は、ヒンジ部１６で折り畳むと、メスクリップ１４に形成されたロックピン２６が、オスクリップ１２に形成されたロック穴２８に嵌合されて、折り畳まれた状態で繋ぎ止められる。
【００２０】
このメスクリップ１４に形成されたロックピン２６は、角柱状に形成された軸部２６Ａと、その軸部２６Ａの先端に一体的に成形された断面半円形状の拡径部２６Ｂとで構成されている。
【００２１】
一方、オスクリップ１２に形成されたロック穴２８は矩形の貫通穴として形成されており、その入口部２８ａには、板状に形成された一対の逆止片２８Ａ、２８Ａが内側に張り出して形成されている。この一対の逆止片２８Ａ、２８Ａは、互いに対向するように配置されており、入口部２８ａから出口部に向けて所定の傾斜をもって配置されている。
【００２２】
上述したように、オスクリップ１２はヒンジ部１６で折り畳むと、メスクリップ１４に形成されたロックピン２６がオスクリップ１２に形成されたロック穴２８に嵌入されて、両者が繋ぎ止められる。この際、ロックピン２６はロック穴２８の内側に張り出された逆止片２８Ａ、２８Ａを拡径部２６Ｂで押し広げながら嵌入され、逆止片２８Ａ、２８Ａは拡径部２６Ｂが通過すると、その弾性復元力で縮径し、拡径部２６Ｂの上側に嵌まり込む。この結果、ロックピン２６をロック穴２８から抜こうとすると、拡径部２６Ｂが逆止片２８Ａ、２８Ａに引っ掛かり、抜けが防止される。また、この状態でロックピン２６を無理に引き抜こうとすると、逆止片２８Ａ、２８Ａの先端が拡径部２６Ｂに押されて縮径し、この縮径した逆止片２８Ａ、２８Ａにロックピン２６の軸部２６Ａが両側から締め付けられて、より強固に抜けが防止される。
【００２３】
また、メスクリップ１４には、先端が鋭角となった突起ピン１７が形成されており、オスクリップ１２には、この突起ピン１７が嵌入されるピン穴１８が形成されている。
【００２４】
図１は、本実施の形態のリストバンド用クリップ１０によって巻き止められるリストバンド３０の斜視図である。同図に示すように、リストバンド３０はセット穴形成部３１とバンド穴形成部３３と幅広に形成された表示部３２とからなり、この幅広に形成された表示部３２に所定の情報（ここでは、患者名、科名、病棟名、血液型、バーコード及び二次元コード）が印字できるようにされている。また、セット穴形成部３１に長穴状のセット穴３８、３８が２つ、バンド穴形成部３３に長穴状のバンド穴４０、４０…が複数、一定の間隔Ｐをもって形成されており、このセット穴３８とバンド穴４０をリストバンド用クリップ１０で留めることにより環状に巻き止められる。
【００２５】
また、リストバンド３０は、バンド穴形成部３３の幅Ｄと、セット穴形成部３１の幅Ｗとに形成されており、バンド穴形成部３３の幅Ｄはセット穴形成部３１の幅Ｗよりも広く形成されている。すなわち、図３に示すように、セット穴形成部３１の幅Ｗは、このリストバンド３０のセット穴形成部３１をオスクリップ１２に取り付けたときには、オスクリップ１２に設けたピン穴１８にかからない程度の寸法とし、バンド穴形成部３３の幅Ｄは、このリストバンド３０のバンド穴形成部３３をオスクリップ１２に取り付けたときには、バンド穴形成部３３の側端部がオスクリップ１２に設けたピン穴に覆いかぶさる寸法に形成されている。
【００２６】
次に、本実施の形態のリストバンド３０でリストバンド用クリップ１０を用いて手首に巻き付ける方法について説明する。
【００２７】
図３に示すように、まず、オスクリップ１２に表示された矢印とリストバンド３０に印刷された矢印の向きを合わせ、リストバンド３０のセット穴形成部３１に形成された２つのセット穴３８、３８にオスクリップ１２に形成された一対のボス２０Ａ，２０Ｂを通す。これにより、リストバンド用クリップ１０がリストバンド３０に取り付けられる。
【００２８】
次に、リストバンド３０を手首に巻き付け、リストバンド３０のバンド穴形成部３３に複数形成されたバンド穴４０、４０、…の２つに一対のボス２０Ａ、２０Ｂを通す。これにより、リストバンド３０が手首に巻きつけられる。
【００２９】
すなわち、リストバンド３０のセット穴形成部３１の上部にバンド穴形成部３３が重なりオスクリップ１２に取り付けられ、オスクリップ１２に設けたピン穴１８はバンド穴形成部３３で覆われている。
【００３０】
次に、リストバンド用クリップ１０を折り畳み、オスクリップ１２の上面をメスクリップ１４で閉じる。ここで、リストバンド用クリップ１０を折り畳むと、オス
クリップ１２に形成されたボス２０Ａ、２０Ｂの先端がメスクリップ１４の凸部２２に形成されたボス収容穴２４Ａ、２４Ｂに収容される。これにより、リストバンド３０がオスクリップ１２とメスクリップ１４とで挟まれる。
【００３１】
また、リストバンド用クリップ１０を折り畳むと、メスクリップ１４に形成されたロックピン２６がオスクリップ１２に形成されたロック穴２８に嵌合する。これにより、リストバンド用クリップ１０が折り畳まれた状態で固定される。
【００３２】
また、リストバンド用クリップ１０を折り畳むことで、オスクリップ１２のピン穴１８を覆ったリストバンド３０のバンド穴形成部３３の側端部は、メスクリップ１４に設けた突起ピン１７の押圧により切込みが生ずる。さらに、リストバンド用クリップ１０で巻き止めた後の余分なバンド穴形成部３３（リストバンド用クリップからはみ出た端部）を持って引くことで、バンド穴形成部３３の側端部に生じた切込み部から引き裂かれ、余分なバンド穴形成部３３を除去することが可能となる。
【００３３】
以上により、リストバンド３０が手首に巻き付けられ、折り畳まれたリストバンド用クリップ１０から延出した長さ調整用として設けたリストバンド３０の余分なバンド穴形成部３３は、鋏などの切断用具を用いることなく除去が可能となる。
【００３４】
なお、本発明が上記実施の形態に限定されず、本発明の技術思想の範囲内において、実施の形態は適宜変更され得ることは明らかである。また、上記構成部材の数、位置、形状等は上記実施の形態に限定されず、本発明を実施する上で好適な数、位置、形状等にすることができる。
【００３５】
また、本実施の形態では本発明を病院等で患者識別のために使用されるリストバンドに適用した例で説明したが、本発明の適用は、これに限定されるものではなく、遊園地等のアミューズメント施設で入場チケット等として使用されるリストバンドやスキー場等でリフト券等として使用されるリストバンドなど、あらゆる用途のリストバンドに適用することができる。
【図面の簡単な説明】
【００３６】
【図１】リストバンドの一実施の形態を示す斜視図
【図２】リストバンド用クリップの構成を示す斜視図
【図３】リストバンド用クリップの取り付け方法を示す平面図
【符号の説明】
【００３７】
１０…リストバンド用クリップ、１２…オスクリップ、１４…メスクリップ、１６…ヒンジ部、１７…突起ピン、１８…ピン穴、２０Ａ、２０Ｂ…ボス、２０ａ、２０ｂ…爪部、２２…凸部、２４Ａ、２４Ｂ…ボス収容穴、２６…ロックピン、２６Ａ…軸部、２６Ｂ…拡径部、２８…ロック穴、２８Ａ…逆止片、３０…リストバンド、３１…セット穴形成部、３２…表示部、３３…バンド穴形成部、３８…セット穴、４０…バンド穴
【図１】
2005052428.tif 000003
【図２】
2005052428.tif 000004
【図３】
2005052428.tif 000005